(57)【特許請求の範囲】
【請求項１】
操作スイッチと、前記操作スイッチが操作された場合に出力されるスイッチ操作信号を受け付けるか否かを判断する判断部を具備した給湯機のリモコン装置において、
前記判断部が判断する前記スイッチ操作信号の受け付けの可否は、前記操作スイッチが操作された場合に出力される前記スイッチ操作信号と、前記給湯機の運転を制御する給湯機制御部から出力される給湯機動作状態信号とから判断され、前記判断部が前記スイッチ操作信号の受け付けを否と判断した時には、その理由を報知する報知手段を設けたことを特徴とした給湯機のリモコン装置。
【請求項２】
前記報知手段は、音声または文字表示であることを特徴とした請求項１に記載の給湯機のリモコン装置。
【発明の詳細な説明】
【０００１】
【発明の属する技術分野】
本発明は、給湯機のリモコン装置に関する。
【０００２】
【従来の技術】
従来例として、浴槽に自動給湯を行ったり、浴槽の湯を追焚する自動給湯機能付き給湯機のリモコン装置がある。このものでは、リモコンの自動スイッチをＯＮ状態にすると、自動スイッチに設けられたＬＥＤが点灯し、あらかじめ設定されている水位になるまで浴槽へ自動給湯を行う。また、追焚スイッチをＯＮ状態にすると追焚スイッチに設けられたＬＥＤが点灯し、あらかじめ設定されている温度まで浴槽の湯を追焚するようになっている。また、自動スイッチがＯＮ状態で浴槽へ自動給湯を行っている時に追焚スイッチを操作すると浴槽への自動給湯を優先して実行するようになっており、追焚スイッチを受け付けないようにプログラムされている。その場合、追焚スイッチを受け付けなかったことを追焚スイッチに設けられたＬＥＤを点滅させるなどして追焚スイッチが受け付けられなかったことを報知していた。
【０００３】
【発明が解決しようとする課題】
しかしながら、上記した従来例では、使用者が追焚スイッチを受け付けなかったことが容易に理解できず、また、追焚スイッチを受け付けなかった理由や追焚スイッチを受け付けるようにするための方法が判らないという問題点があった。
【０００４】
本発明は、上記課題を解決するためになされたもので、本発明の目的は、使用者が初めてリモコン装置を使用する場合でも、スイッチの操作方法が簡単に理解できる給湯機のリモコン装置を提供することにある。
【０００５】
【課題を解決するための手段及びその作用・効果】
上記目的を達成するために請求項１は、操作スイッチと操作スイッチの受付の可否を判断する判断部を具備した給湯機のリモコン装置において、前記判断部の操作スイッチの受付の可否は、前記操作スイッチのスイッチ操作信号と、給湯機の運転を制御するための給湯機制御部の給湯機動作状態信号から判断され、前記判断部の判断結果に基づき報知情報を選択する報知情報選択手段を設けた。よって、操作スイッチを受けた場合と受け付けなかった場合とで報知情報を変えることができ、操作スイッチを付けたかどうかを使用者が明確に理解できる。
【０００６】
請求項２は、操作スイッチと操作スイッチの受付の可否を判断する判断部を具備した給湯機のリモコン装置において、前記判断部の操作スイッチの受付の可否は、前記操作スイッチのスイッチ操作信号と、給湯機の運転を制御するための給湯機制御部の給湯機動作状態信号から判断され、前記判断部が操作スイッチの受付を否と判断した時には、その理由または受付可とするための操作方法を報知する報知手段を設けた。よって、操作スイッチが操作された時に操作スイッチが受け付けられない場合、その操作スイッチを受け付けなかった理由や受付可とするための操作方法が報知されるため、使用者はその操作スイッチを有効とするための操作方法を取扱い説明書を見ずに簡単に知ることができる。
【０００７】
請求項３は、請求項１，２における前記報知手段は、音声または文字表示とした。よって、操作方法などが音声または文字表示で報知されるため、使用者は、操作方法を簡単にかつ明確に理解できる。
【０００８】
【発明の実施の形態】
以下、本発明の実施の形態を、図面により詳細に説明する。
図１は本発明に係る給湯システム全体の構成図である。給湯機１は、上流の給水管２および下流の給湯管３と繋がっている。また、ふろ往き管４とふろ戻り管５を通じて浴槽６と繋がっている。給湯機１で加熱された湯は給湯管３を通じて、台所水栓７および浴室のシャワー水栓８から出湯される。また、浴室には浴室リモコン９が、台所には台所リモコン１０が設置されている。浴室リモコン９、台所リモコン１０は通信線１１を通じて、給湯機１の制御部４４（図示せず）と双方向で通信している。また、給湯機１の制御部４４により、給湯機１からふろ往き管４とふろ戻り管５を通じて浴槽６へのお湯はり運転を行ったり、また、浴槽水の追焚運転を行ったりする。
【０００９】
図２は本発明に係る浴室リモコン９の外観図である。浴室リモコン９には、給湯設定温度やふろ設定温度などを表示する表示部２１と、表示部２１内に文字情報をドットマトリックス表示で表示する文字情報表示部２２と、給湯機を運転可能状態にするための運転スイッチ２３と、運転スイッチ２３がＯＮ状態の時に点灯する点灯部２３Ａと、浴槽にふろ往き管４とふろ戻り管５を通じて湯を給湯するための湯はりスイッチ２４と、湯はりスイッチ２４がＯＮ状態の時に点灯する点灯部２４Ａと、浴槽の湯を追焚するための追焚スイッチ２５と、追焚スイッチ２５がＯＮ状態の時に点灯する点灯部２５Ａと、給湯設定温度の優先権を得るための優先スイッチ２６と、優先スイッチ２６がＯＮ状態の時に点灯する点灯部２６Ａと、音声を発生させたりブザー音を鳴動させるためのスピーカー２７と、給湯設定温度を設定するための給湯温度設定スイッチ２８Ａ，２８Ｂが備えられている。優先スイッチ２６がＯＮ状態の時は、浴室リモコン９のみにて給湯設定温度が変更でき、優先スイッチ２６がＯＦＦ状態の時は、台所リモコン１０のみにて給湯設定温度が変更できる。
【００１０】
図３は本発明に係る台所リモコン１０の外観図である。台所リモコン１０には、給湯設定温度などを表示する表示部３１と、運転スイッチ３３と、運転スイッチ３３がＯＮ状態の時に点灯する点灯部３３Ａと、湯はりスイッチ３４と、湯はりスイッチ３４がＯＮ状態の時に点灯する点灯部３４Ａと、追焚スイッチ３５と、追焚スイッチ３５がＯＮ状態の時に点灯する点灯部３５Ａと、音声を発生させたりブザー音を鳴動させるためのスピーカー３７と、給湯設定温度を設定するための給湯温度設定スイッチ３８Ａ，３８Ｂが備えられている。
【００１１】
図４は、リモコンの制御ブロック図である。この図を参照して、スイッチ操作の判断部の動作を説明する。
リモコンのスイッチ４０が操作されると、スイッチ受付判断部４１へスイッチ操作信号▲１▼が送られる。ここで操作スイッチとは運転スイッチ２３，３３と、湯はりスイッチ２４，３４と、追焚スイッチ２５，３５と、優先スイッチ２６と、給湯温度設定スイッチ２８Ａ，２８Ｂ，３８Ａ，３８Ｂを示す。スイッチ受付判断部４１には給湯機１の制御部から給湯機の動作状態信号▲４▼が送られている。スイッチ受付判断部４１では、信号▲１▼と信号▲４▼からスイッチの受付可否を判断する。給湯機１の制御部４４は信号▲２▼に基づき給湯機１の運転を行う。報知情報選択手段４２では信号▲２▼に基づき、報知情報を選択する。報知情報選択手段４２は報知手段４３へ報知情報▲３▼を送り、報知手段４３により報知情報が報知される。
【００１２】
なお、スイッチ受付判断部４１は図５のように、給湯機１内に設けてもよい。この場合においても、スイッチ受付判断部４１による動作は変わりない。
【００１３】
図６は本発明の第一の実施の形態を示す制御フローである。浴室リモコン９を例にすると、制御フローがスタートしステップＳ１で浴室リモコン９の操作スイッチが操作されたかどうかを判断する。操作スイッチが操作された場合はステップＳ２に進み、浴室リモコンの操作スイッチの受付け可否を判断する判断部であるスイッチ受付判断部４１が操作スイッチの受付可否を判断する。操作スイッチを受け付けた場合はステップＳ３に進み、報知情報選択手段４２が報知情報Ａを選択して、報知手段４３により報知する。操作スイッチを受け付けなかった場合はステップＳ４に進み、報知情報選択手段４２が報知情報Ａ’を選択して、報知手段４３により報知する。
【００１４】
図７は第一の実施の形態における報知情報Ａ、Ａ’の内容を示す表である。先ず、先行動作として運転スイッチのみがＯＮ状態にある時に追焚スイッチがＯＮされると、スイッチ操作は受け付けられ給湯機は追焚動作に移行し、追焚スイッチが操作されたリモコンが報知情報Ａを報知する。つまり、「おふろを沸かします。ふろ設定温度は４０℃です。」と音声にて報知する。操作されたリモコンが浴室リモコン９である場合は、さらに文字情報表示部２２に報知情報Ａをスクロール表示させる。よって、使用者は追焚スイッチが受け付けられたことと、これからの運転内容を知ることができる。次に先行動作として運転スイッチと湯はりスイッチがＯＮ状態で浴槽６へ自動湯はりを行っている時に追焚スイッチがＯＮされると、追焚スイッチは受け付けずに追焚スイッチが操作されたリモコンが報知情報Ａ’を報知する。つまり、「お湯はり中のため受付ません。お湯はりが終了してから再度操作して下さい。」と音声にて報知する。操作されたリモコンが浴室リモコン９である場合は、さらに文字情報表示部２２に報知情報Ａ’をスクロール表示させる。よって、使用者は追焚スイッチが受け付けられなかったことと、その理由と受付可とするための方法を簡単に知ることができる。
【００１５】
図８は、発明の第二の実施の形態を示す制御フローである。浴室リモコン９を例にすると、制御フローがスタートするとステップＳ１１で運転スイッチ２３が操作されＯＮ状態にされたかどうかを判断する。運転スイッチ２３がＯＮ状態にされた場合はステップＳ１２に進み、運転スイッチ２３がＯＮされたリモコン、すなわち浴室リモコン９に給湯設定温度の優先権があるかどうかを判断する。優先権があるかどうかの判断は、スイッチ受付判断部４１により行う。浴室リモコン９に優先権がある場合はステップＳ１３に進み、報知情報選択手段４２が報知情報Ｂを選択して、報知手段４３により報知する。浴室リモコン９に優先権がない場合は、ステップＳ１４に進み、報知情報選択手段４２が報知情報Ｂ’を選択して、報知手段４３により報知する。次にステップＳ１５で給湯温度設定スイッチ２８Ａ、２８Ｂが操作されたかどうかを判断する。給湯温度設定スイッチ２８Ａ、２８Ｂが操作された場合はステップＳ１６に進み、浴室リモコン９に給湯設定温度の優先権があるかどうかを判断する。優先権があるかどうかの判断は、スイッチ受付判断部４１により行う。浴室リモコン９に優先権がある場合はステップＳ１７に進み、報知情報選択手段４２が報知情報Ｃを選択して、報知手段４３により報知する。浴室リモコン９に優先権がない場合は、ステップＳ１８に進み、報知情報選択手段４２が報知情報Ｃ’を選択して、報知手段４３により報知する。
【００１６】
図９は第二の実施の形態における報知情報Ｂ、Ｂ’の内容を示す表である。浴室リモコン９に給湯設定温度の優先権がある場合に、浴室リモコン９の運転スイッチがＯＮされた場合は、浴室リモコン９が報知情報Ｂを報知する。つまり、「給湯温度の変更ができます。」と音声にて報知し、さらに文字情報表示部２２に報知情報Ｂをスクロール表示させる。浴室リモコン９に給湯設定温度の優先権がない場合に、浴室リモコン９の運転スイッチがＯＮされた場合は、浴室リモコン９が報知情報Ｂ’を報知する。つまり、「給湯温度を変更する時は、浴室リモコンの優先スイッチを入れて下さい。」と音声にて報知し、さらに文字情報表示部２２に報知情報Ｂ’をスクロール表示させる。台所リモコン１０に給湯設定温度の優先権がある場合に、台所リモコン１０の運転スイッチがＯＮされた場合は、台所リモコン１０が報知情報Ｂを報知する。つまり、「給湯温度の変更ができます。」と音声にて報知する。台所リモコン１０に給湯設定温度の優先権がない場合に、台所リモコン１０の運転スイッチがＯＮされた場合は、台所リモコン１０が報知情報Ｂ’を報知する。つまり、「給湯温度を変更する時は、浴室リモコンの優先スイッチを切って下さい。」と音声にて報知する。ここで、浴室リモコン９と台所リモコン１０で報知される報知情報Ｂ’は、浴室リモコン１０の方に優先スイッチ２６が備えられていることから、優先スイッチ２６の入切に関する内容が異なっている。以上のように運転スイッチをＯＮ状態にしたリモコン装置に優先権がない場合に、優先権を得るための操作方法が報知されるため、使用者は優先権を得るための操作方法を取扱い説明書を見ずに簡単に知ることができる。
【００１７】
図１０は第二の実施の形態における報知情報Ｃ、Ｃ’の内容を示す表である。浴室リモコン９に給湯設定温度の優先権がある場合に、浴室リモコン９で給湯設定温度が変更された場合は、浴室リモコン９が報知情報Ｃを報知する。つまり、「給湯温度が変更されました。」と音声にて報知し、さらに文字情報表示部２２に報知情報Ｃをスクロール表示させる。この時、「給湯温度は６０℃に設定されました。」というように、設定された温度を合わせて報知してもよい。浴室リモコン９に給湯設定温度の優先権がない場合に、浴室リモコン９で給湯設定温度が変更された場合は、浴室リモコン９が報知情報Ｃ’を報知する。つまり、「変更できません。給湯温度を変更する時は、浴室リモコンの優先スイッチを入れて下さい。」と音声にて報知し、さらに文字情報表示部２２に報知情報Ｃ’をスクロール表示させる。台所リモコン１０に給湯設定温度の優先権がある場合に、台所リモコン１０で給湯設定温度が変更された場合は、台所リモコン１０が報知情報Ｃを報知する。つまり、「給湯温度が変更されました。」と音声にて報知する。この時、「給湯温度は６０℃に設定されました。」というように、設定された温度を合わせて報知してもよい。台所リモコン１０に給湯設定温度の優先権がない場合に、台所リモコン１０で給湯設定温度が変更された場合は、台所リモコン１０が報知情報Ｃ’を報知する。つまり、「給湯温度を変更する時は、浴室リモコンの優先スイッチを切って下さい。」と音声にて報知する。ここで、浴室リモコン９と台所リモコン１０で報知される報知情報Ｃ’は、浴室リモコン１０の方に優先スイッチ２６が備えられていることから、優先スイッチ２６の入切に関する内容が異なっている。以上のように給湯設定温度の優先権がないリモコンで給湯温度設定スイッチが操作された場合に優先権を得るための操作方法が報知されるため、使用者は優先権を得るための操作方法を取扱い説明書を見ずに簡単に知ることができる。
【００１８】
図１１は、本発明の第三の実施の形態を示す制御フローである。ステップＳ２１で報知情報が非発声状態(以下、制限モードと記す。)になっているかどうかを判断する。運転スイッチがＯＦＦの状態の時に、湯はりスイッチを５秒間連続で押し続けると制限モードが設定される。再度、湯はりスイッチを５秒間連続で押し続けると制限モードが解除される。ステップＳ２１で報知情報が制限モードになっている場合は、ステップＳ２３でリモコンのスイッチが操作された時などに報知情報▲１▼を報知する。報知情報が制限モードになっていない場合は、ステップＳ２２でリモコンのスイッチが操作された時などに報知情報▲２▼を報知する。ここでは、報知情報の制限は、報知情報▲１▼と報知情報▲２▼の２段階に設定したが、さらに３段階、４段階に設定してもよい。
【００１９】
図１２は第三の実施の形態における報知情報▲１▼▲２▼の内容を示す表である。制限モードの時の報知情報である報知情報▲１▼は、給湯設定温度が高温に設定された時とエラーが発生した時以外は、図１２中のＮＯ．１〜１１の報知情報▲１▼に示すように「ピィ」など受付音のみである。給湯設定温度が高温に設定された時とエラーが発生した時は、図１２中のＮＯ．１２〜１４の報知情報▲１▼に示すように受付音に加えて、報知情報が報知される。制限モードが解除されている時の報知情報である報知情報▲２▼は、図１２中のＮＯ．１〜１４の報知情報▲２▼に示すように全ての状態に対して受付音に加えて、報知情報が報知される。よって、使用者が音声を非発声状態に設定した時でも給湯温度が高温に設定された場合や給湯機およびリモコンに異常があった時は、注意喚起情報などの情報は報知されるため、安全に使用できる。
【図面の簡単な説明】
【図１】本発明に係る給湯システム全体の構成図。
【図２】本発明に係る浴室リモコンの外観図。
【図３】本発明に係る台所リモコンの外観図。
【図４】本発明に係るリモコンの制御ブロック図。
【図５】本発明に係るリモコンの制御ブロック図。
【図６】本発明の第一の実施の形態を示す制御フロー。
【図７】第一の実施の形態における報知情報Ａ、Ａ’の内容を示す表。
【図８】本発明の第二の実施の形態を示す制御フロー。
【図９】第二の実施の形態における報知情報Ｂ、Ｂ’の内容を示す表。
【図１０】第二の実施の形態における報知情報Ｃ、Ｃ’の内容を示す表。
【図１１】本発明の第三の実施の形態を示す制御フロー。
【図１２】第三の実施の形態における報知情報▲１▼▲２▼の内容を示す表。
【符号の説明】
１  …  給湯機
９  …  浴室リモコン
１０  …  台所リモコン
２１  …  表示部
２２  …  文字情報表示部
２３  …  浴室リモコンの運転スイッチ
２４  …  浴室リモコンの湯はりスイッチ
２５  …  浴室リモコンの追焚スイッチ
２６  …  浴室リモコンの優先スイッチ
２７  …  浴室リモコンのスピーカー
２８Ａ，２８Ｂ  …  浴室リモコンの設定スイッチ
３３  …  台所リモコンの運転スイッチ
３４  …  台所リモコンの湯はりスイッチ
３５  …  台所リモコンの追焚スイッチ
３７  …  台所リモコンのスピーカー
３８Ａ，３８Ｂ  …  台所リモコンの設定スイッチ
４０  …  操作スイッチ
４１  …  スイッチ受付判断部
４２  …  報知情報選択手段
４３  …  報知手段
４４  …  制御部
【図１】
0003838324.tif 000002
【図２】
0003838324.tif 000003
【図３】
0003838324.tif 000004
【図４】
0003838324.tif 000005
【図５】
0003838324.tif 000006
【図６】
0003838324.tif 000007
【図７】
0003838324.tif 000008
【図８】
0003838324.tif 000009
【図９】
0003838324.tif 000010
【図１０】
0003838324.tif 000011
【図１１】
0003838324.tif 000012
【図１２】
0003838324.tif 000013